(57)【特許請求の範囲】
【請求項１】
電線を布線する布線シートの電線切断箇所に、電線を切断する切断工具およびこれの外周に嵌合する押え工具を一側面側から挿入する電線切断穴を形成し、この電線切断穴の他側面側に差し渡された電線を、前記押え工具と、これに対して電線の反対側に配置された受け工具とで挟み固定した状態で、前記切断工具を打ち込んで電線を切断するようにした電気接続箱の電線切断部構造において、
前記電線切断穴の周囲から電線配置側に突出する周縁壁部を設け、その周縁壁部の先端部に、これの周囲を内方に延長して電線と前記押え工具との間に介在させ、その延長された内側開口幅を前記切断工具を通過させるに必要かつ最小限の寸法に形成した電線押え部を設けたことを特徴とする電気接続箱の電線切断部構造。
【請求項２】
電線を布線する布線シートの電線切断箇所に、電線を切断する切断工具およびこれの外周に嵌合する押え工具を一側面側から挿入する電線切断穴が形成されており、この電線切断穴の他側面側に差し渡された電線を、前記押え工具と、これに対して電線の反対側に配置された受け工具とで挟み固定した状態で、前記切断工具を打ち込んで電線を切断するようにした電気接続箱の電線切断方法において、
前記電線切断穴の周囲から電線配置側に突出する周縁壁部を設け、その周縁壁部の先端部に、これの周囲を内方に延長して、その延長された内側開口幅を前記切断工具を通過させるに必要かつ最小限の寸法に形成した電線押え部を設けておき、この電線押え部と前記受け工具との間に電線を挟んだ状態で、この電線押え部を前記押え工具で押圧して電線を固定し、次いで、前記切断工具を打ち込むことを特徴とする電気接続箱の電線切断方法。
【発明の詳細な説明】
【０００１】
【発明の属する技術分野】
本発明は、電気接続箱内に収容される布線シートに電線を配線した後に、この電線の任意箇所をパンチなどの切断工具およびダイスなどの受け工具を用いて切断するようにした、電気接続箱の電線切断部構造およびその電線切断方法に関する。
【０００２】
【従来の技術】
ジャンクションブロックなどの電気接続箱では、バスバー回路間を接続する布線部分が何本もの曲がりくねった電線で構成されて布線シート上に配線されている。このため、それら多数の電線を布線するにあたって、１本づつ組み付けるのでは能率が悪いため、全体の配線を切断することなく一筆書きの要領で連続させて布線し、その後、その一筆書き布線された電線を所定箇所で切断することにより各回路に分割する方法がある。
【０００３】
このような一筆書き布線を部分的に切断する場合、従来では図６に示すように、布線シート１の電線切断部位に予め電線切断穴２を形成しておき、布線された電線３はこの電線切断穴２の片面に差し渡し状態で配置されるようになっている。そして、図７に示すように、布線シート１を裏返してダイス４上に配線３を支持させた状態で、前記電線切断穴２内にパンチ４ａを打ち込み、このパンチ４ａの先端部で配線３を切断するようになっている。このとき、電線３の位置ずれを防止するため、パンチ４ａの外周にストリッパ４ｂを挿入し、このストリッパ４ｂの下端と前記ダイス４との間で電線３を挟持するようになっている。
【０００４】
そして、配線３を切断した後にダイス４，パンチ４ａ，ストリッパ４ｂを撤去することにより、切断された電線３は、図８に示すように、電線切断穴２の中央部分でパンチ４ａの幅Ｗ1（図７参照）に対応する間隔δをもって分離されることになる。
【０００５】
【発明が解決しようとする課題】
しかしながら、かかる従来の電気接続箱の電線切断方法では、切断時に電線３を固定するためにストリッパ４ｂを用い、このストリッパ４ｂとダイス４との間に電線３を挟み込んで保持するようになっている。このため、電線切断穴２の内幅Ｗ2（図７参照）は、ストリッパ４ｂを挿入するに十分な幅をもって形成される。勿論、このストリッパ４ｂの幅Ｗ3（図７参照）は、これの中心部に配置されるパンチ４ａの幅Ｗ1よりも必然的に大きくなっている。
【０００６】
従って、切断された電線３は電線切断穴２の周辺から内方に突出されることになり、その突出量Ｘ1は、図７に示すように、ストリッパ４ｂの厚さａと、ストリッパ４ｂと電線切断穴２の周辺との隙間ｂとが合わさった量、つまり図９に示すようにＸ1＝ａ＋ｂとなって、電線切断穴２の周辺から突出する突出部分３ａの突出量が大きくなってしまう。
【０００７】
このため、図１０に示すように、ジャンクションブロックの製造工程などで誤って前記突出部分３ａに、これを電線切断穴２の内方への力が作用した場合、この突出部分３ａは、同図中破線に示すように、電線切断穴２の内方に大きく折曲されてしまう。このとき、図１０に示すように、布線シート１の前記電線３を布線した側とは反対面に、バスバーなどの他の回路５が存在する場合、折曲された前記突出部分３ａの先端が、電線切断穴２の開口部２ａを通してこの他の回路５に接近し、場合によっては両者がショートしてしまう恐れがある。
【０００８】
そこで、本発明はかかる従来の課題を解決すべく成されたもので、電線切断穴の周囲を切断工具が通過できる程度に絞って、その絞った内周部分に対応する位置で電線を切断することにより、切断した電線の突出部分を短くするようにした電気接続箱の電線切断部構造およびその電線切断方法を提供することを目的とする。
【０００９】
【課題を解決するための手段】
請求項１記載の発明は、電線を布線する布線シートの電線切断箇所に、電線を切断する切断工具およびこれの外周に嵌合する押え工具を一側面側から挿入する電線切断穴を形成し、この電線切断穴の他側面側に差し渡された電線を、前記押え工具と、これに対して電線の反対側に配置された受け工具とで挟み固定した状態で、前記切断工具を打ち込んで電線を切断するようにした電気接続箱の電線切断部構造において、前記電線切断穴の周囲から電線配置側に突出する周縁壁部を設け、その周縁壁部の先端部に、これの周囲を内方に延長して電線と前記押え工具との間に介在させ、その延長された内側開口幅を前記切断工具を通過させるに必要かつ最小限の寸法に形成した電線押え部を設けたことを特徴とする。
【００１０】
この場合、電線切断穴の周囲を内方に延設した電線押え部の内側開口で電線が切断されるが、この電線押え部の内側開口幅は切断工具を通過させるに必要かつ最小限の寸法に形成されているため、電線は電線押え部の内側辺にほぼ対応する位置で切断されることになり、切断された電線の切断端部がこの電線押え部内側から大きく突出するのが防止される。
また、この場合、電線切断穴と電線が切断される電線押え部との間に、周縁壁部の突出分の距離が存在するため、電線押え部の内側で切断された電線の端部と電線切断穴の開口部とを大きく離隔することができる。
【００１３】
請求項２の発明は、電線を布線する布線シートの電線切断箇所に、電線を切断する切断工具およびこれの外周に嵌合する押え工具を一側面側から挿入する電線切断穴が形成されており、この電線切断穴の他側面側に差し渡された電線を、前記押え工具と、これに対して電線の反対側に配置された受け工具とで挟み固定した状態で、前記切断工具を打ち込んで電線を切断するようにした電気接続箱の電線切断方法において、前記電線切断穴の周囲から電線配置側に突出する周縁壁部を設け、その周縁壁部の先端部に、これの周囲を内方に延長して、その延長された内側開口幅を前記切断工具を通過させるに必要かつ最小限の寸法に形成した電線押え部を設けておき、この電線押え部と前記受け工具との間に電線を挟んだ状態で、この電線押え部を前記押え工具で押圧して電線を固定し、次いで、前記切断工具を打ち込むことを特徴とする。
【００１４】
この場合、請求項１の作用として述べたように、電線押え部の内側開口で電線が切断されるため、切断された電線の切断端部がこの電線押え部内側から大きく突出するのを防止できるのは勿論のこと、この電線切断方法では、押え工具で電線を押圧する際に、この電線が布線される布線シートと一体の前記電線押え部がこの電線に直接に当接して電線を固定するため、押え工具の押圧力を付加した場合に、電線と布線シートとの相対的なずれ防止機能が向上する。
【００１５】
【発明の実施の形態】
以下、本発明の実施形態を添付図面を参照して詳細に説明する。図１から図５は本発明にかかる電気接続箱の電線切断部構造の一実施形態を示し、図１は電線切断部構造での電線の切断工程を示す要部断面図、図２は電線切断部構造の要部平面図、図３は電線切断部構造の要部断面図、図４は電線切断部構造が適用される電気接続箱の分解斜視図、図５は電線切断部構造が適用された布線シートの底面図である。
【００１６】
本発明の電線切断部構造１０は、図４に示すように、電気接続箱としてのジャンクションブロック２０に内蔵されるバスバー２１と一体の布線シート２２に適用される。即ち、このジャンクションブロック２０は、図４に示すように、前記バスバー２１と、これの片面側（図中上面側）を覆うメインカバー２３と、このバスバー２１の他面側（図中下面側）を覆うアンダーカバー２４とを備え、バスバー２１を収容した状態でメインカバー２３をアンダーカバー２４に被せることにより、メインカバー２３の側壁２３ａの内側に形成される図示省略した係合部が、アンダーカバー２４の側壁２４ａの外側に形成したロック爪２４ｂに係合するようになっている。
【００１７】
前記メインカバー２３の外側面（図中上面）には、ミニヒューズ２５を差し込むヒューズキャビティ２３ｂやリレーキャビティ２３ｃなどの複数の部品接続用コネクタが設けられる。前記バスバー２１の裏側には絶縁板２１ａを介してプラスチック製の前記布線シート２２が配置され、この布線シート２２には図５に示すように、電線２６を連続して配線した一筆書き布線２７が取り付けられる。この一筆書き布線２７は布線シート２２に取付けられた後、前記電線切断部構造１０に対応した部分で切断される。なお、図４に示した一筆書き布線２７は、図５に示す電線切断箇所Ａで切断された状態が示されるが、実際はこの組付け段階では切断されること無く全体が連続した布線となる。
【００１８】
前記電線切断部構造１０は、図１に示すように、電線２６を布線する布線シート２２の電線切断箇所Ａに、矩形状の電線切断穴１１が形成されており、この電線切断穴１１の他側面２２ｂ側に電線２６が差し渡される。この電線切断穴１１は、これの周囲から電線２６の配置側に周縁壁部１２が環状となって所定量ｈ突出しており、前記電線２６はこの周縁壁部１２の先端部に跨って差し渡される。そして、前記電線切断箇所Ａで電線２６を切断する際には、電線切断穴１１の一側面２２ａ側から切断工具としてのパンチ３０およびこれの外周に嵌合する押え工具としてのストリッパ３１を挿入する一方、他側面２２ｂ側から受け工具としてのダイス３２を配置するようになっている。なお、前記電線切断穴１１は矩形状に限ることはなく、また前記周縁壁部１２は、この電線切断穴１１の形状に沿った形状とすればよい。
【００１９】
ここで、本実施形態ではこのような電線切断部構造１０にあって、前記電線切断穴１１を電線２６配置側で絞って縮幅するようになっている。つまり、図１に示すように、前記電線切断穴１１の電線配置側（他側面２２ｂ側）となる周縁壁部１２の先端部に、これの周囲を内方に延長して、電線２６と前記ストリッパ３１との間に介在させる電線押え部１３を一体に形成し、この電線押え部１３の内側開口１３ａの幅Ｗを、前記パンチ３０を通過させるに必要かつ最小限の寸法に形成してある。
【００２０】
そして、電線２６の切断時は、前記電線押え部１３と前記ダイス３２との間に電線２６を挟んだ状態で、この電線押え部１３を電線切断穴１１の内方から前記ストリッパ３１で押圧して電線２６を固定し、次いで、前記パンチ３０を打ち込む。勿論、互いに嵌合されるこれらパンチ３０とストリッパ３１は、軸方向の相対移動が可能となっている。そして、パンチ３０の打ち込みにより、このパンチ３０は電線押え部１３の内側開口１３ａを通過して、電線２６をこのパンチ３０とダイス３２との間に挟み込む状態で切断することになり、このとき、電線２６はパンチ３０の幅Ｗ1（図１参照）をもって切断される。
【００２１】
そして、電線２６を切断した後は、前記パンチ３０、前記ストリッパ３１および前記ダイス３２を撤去することにより、電線２６の切断端部２６ａは、図２および図３に示すように、電線押え部１３の内側開口１３ａを挟んで対向した状態で分離される。なお、図３は図４に対して上下を逆として示してある。
【００２２】
以上の構成により本実施形態の電線切断部構造１０では、電線切断穴１１を絞った電線押え部１３で電線２６を押え、この状態で内側開口１３ａ内に打ち込まれるパンチ３０で電線２６を切断するようになっている。このとき、電線押え部１３の内側開口１３ａ幅Ｗはパンチ３０を通過させるに必要かつ最小限の寸法に形成されているため、電線２６は電線押え部１３の内側辺１３ｂ，１３ｃにほぼ対応する位置で切断されることになり、切断された電線２６がこの電線押え部１３の内側から大きく突出するのが防止される。
【００２３】
つまり、本実施形態では図２に示すように切断された電線２６の切断端部２６ａの突出量Ｘ2には、従来のようにストリッパ３１の厚さは関係しなくなり、図１に示すように、パンチ３０と電線押え部１３の内側開口１３ａとの間に形成される僅かの隙間ｂが加わるのみで、Ｘ2＝ｂとなる。従って、この切断端部２６ａの突出量Ｘ2は前記隙間ｂ分の僅かとなり、この切断端部２６ａが電線切断穴１１内に倒れ込むのを防止、若しくは著しく少なくできるようになる。
【００２４】
特に、本実施形態では図３に示すように、電線切断穴１１の周囲に周縁壁部１２が突出され、この周縁壁部１２の先端部に前記電線押え部１３が設けられるため、電線切断穴１１の開口部１１ａと電線押え部１３との間を大きく離隔して、この開口部１１ａ側にバスバーなどの他の回路２１が存在する場合にも、この他の回路２１と電線２６の切断端部２６ａとの間の距離Ｌを大きく稼ぐことができる。従って、例え大きな外力により切断端部２６ａが電線切断穴１１内に折曲した場合にも、この切断端部２６ａが前記他の回路２１にショートするのを確実に防止することができる。
【００２５】
また、本実施形態ではストリッパ３１で電線２６を押圧する際に、この電線２６が布線される布線シート２２と一体の電線押え部１３が、この電線２６に直接に当接して電線２６を固定するため、ストリッパ３１の押圧力を付加した場合に、電線２６が布線シート２２に対して相対的にずれるのを防止する機能を高めることができる。このため、電線２６を常に正確な位置で切断できるため、片方の切断端部２６ａが長くなってしまうなどの不具合を無くすことができる。
【００２６】
【発明の効果】
請求項１に記載の本発明の電線切断部構造によれば、電線切断穴の電線配置側に突出する周縁壁部先端の周囲を内方に延長した電線押え部を、電線と押え工具との間に介在させるとともに、その電線押え部の内側開口幅を切断工具を通過させるに必要かつ最小限の寸法に形成したので、電線を電線押え部の内側辺にほぼ対応する位置で切断することができるため、切断された電線の切断端部がこの電線押え部内側から大きく突出するのを防止することができる。このため、この電線の切断端部が電線切断穴の内方に倒れ込むのを防止して、この切断端部が電線切断穴の反対側に配置される他の回路とショートするなどの不具合を無くすことができる。
また、本発明によれば、前記電線押え部を、前記電線切断穴の周囲から電線の配置側に所定量突出する周縁壁部の先端部に設けたので、電線切断穴の開口部と電線の切断端部が位置する電線押え部との間に、前記周縁壁部の突出分の距離が存在することになり、電線の切断端部と電線切断穴の開口部とを大きく離隔して、他の回路とのショート防止効果をより高めることができる。
【００２８】
請求項２に記載の本発明の電気接続箱の電線切断方法は、布線シートの電線切断穴の周囲から電線配置側に突出した周縁壁部の先端部に内方に延長して形成した電線押え部の内側開口幅を、切断工具を通過させるに必要かつ最小限の寸法に形成し、電線の切断時に、この電線押え部と受け工具との間に電線を挟むとともに、この電線押え部を前記押え工具で押圧して電線を固定し、次いで、前記切断工具を打ち込むようにしたので、電線押え部の内側辺にほぼ対応する位置で切断することができるため、切断された電線の切断端部がこの電線押え部内側から大きく突出するのを防止できるのは勿論のこと、押え工具で電線を押圧する際に、この電線が布線される布線シートと一体の前記電線押え部がこの電線に直接に当接して電線を固定するため、押え工具の押圧力を付加した場合に、電線が布線シートに対して相対的にずれるのを防止して、電線を常に正確な位置で切断することができる。
【図面の簡単な説明】
【図１】本発明にかかる電気接続箱の電線切断部構造の一実施形態を示す電線の切断工程の要部断面図である。
【図２】本発明にかかる電気接続箱の電線切断部構造の一実施形態を示す要部平面図である。
【図３】本発明にかかる電気接続箱の電線切断部構造の一実施形態を示す要部断面図である。
【図４】本発明にかかる電気接続箱の電線切断部構造が適用される電気接続箱の分解斜視図である。
【図５】本発明にかかる電気接続箱の電線切断部構造が適用された布線シートの底面図である。
【図６】従来の電気接続箱の電線切断部構造の電線が切断される前段階の斜視図である。
【図７】従来の電気接続箱の電線切断部構造の電線の切断工程の要部断面図である。
【図８】従来の電気接続箱の電線切断部構造の電線を切断した状態の斜視図である。
【図９】従来の電気接続箱の電線切断部構造の電線を切断した状態の平面図である。
【図１０】従来の電気接続箱の電線切断部構造の電線を切断した状態の断面図である。
【符号の説明】
１０  電線切断部構造
１１  電線切断穴
１２  周縁壁部
１３  電線押え部
１３ａ  内側開口
２２  布線シート
２６  電線
３０  パンチ（切断工具）
３１  ストリッパ（押え工具）
３２  ダイス（受け工具）
【図１】
0003901446.tif 000002
【図２】
0003901446.tif 000003
【図３】
0003901446.tif 000004
【図４】
0003901446.tif 000005
【図５】
0003901446.tif 000006
【図６】
0003901446.tif 000007
【図７】
0003901446.tif 000008
【図８】
0003901446.tif 000009
【図９】
0003901446.tif 000010
【図１０】
0003901446.tif 000011